(57)【要約】【課題】    雑誌類などの大きな本や辞書等の厚めの書物など、奥行きの深い書籍などの対象物を見るのに、拡大鏡と机上との間隔を大きくとることによりページをめくり易く、使いやすくした読書用拡大鏡スタンドを提供する。【解決手段】    拡大鏡レンズは枠のない広面積で軽量部材の矩形レンズを使用してレンズ取付部に着脱自在に取付け、この拡大鏡レンズを回動自在に動かせるようにレンズ取付部の接続支軸に調節ハンドルを取付け、この接続支軸にフレキシブル構造のアーム支柱を接続し、このアーム支柱の下端部はスタンド台座に取付け、このスタンド台座に広面積の敷板を取付ける。【選択図】  図１
2006330217.tif 000002
【特許請求の範囲】
【請求項１】
拡大鏡レンズは枠のない広面積で軽量部材の矩形レンズを使用してレンズ取付部に着脱自在に取付け、この拡大鏡レンズは回動自在に動かせるようにレンズ取付部の接続支軸に調節ハンドルを取付け、この接続支軸にフレキシブル構造のアーム支柱を接続し、このアーム支柱の下端部はスタンド台座に取付け、このスタンド台座に広面積の敷板を取付けてなることを特徴とする読書用拡大鏡スタンド。
【請求項２】
上記敷板に、書籍を自在に傾斜させて立てかける書籍立てを設けたことを特徴とする請求項１記載の読書用拡大鏡スタンド。
【発明の詳細な説明】
【技術分野】
【０００１】
この発明は、雑誌類などの大きな本や辞書等の厚めの書物など、奥行きの深い書籍などの対象物を見るのに、拡大鏡と机上との間隔を大きくとることによりページをめくり易く、使いやすくした読書用拡大鏡スタンドに関するものである。    
【背景技術】
【０００２】
従来一般の拡大鏡には、手に持ってかざす虫メガネ状のもの、紙などの上に置いて使うルーペ、折畳み式の簡易スタンドルーペ等がある。      
【０００３】
また、読書を行う為に考案された従来技術には、例えば実開平３−１２７３０６号公報に開示されている「読書用スタンドルーペ」がある。この考案は、ルーペ本体１を所定の高さに支持装着して立設するスタンド台２と、ルーペ本体の後部側に設けた電灯３などとからなるものである。      
【０００４】
また、簡単な構造で机やテーブルなどの上に置いて使用し、他の物品などを損傷しないように配慮した従来技術が、例えば、実開平６−７８９２０号公報の「スタンドルーペ」に開示されている。      
【０００５】
さらにまた、一台のレンズヘッドを照明付スタンドルーペとしても携帯用のルーペとしても使用できるように配慮した従来技術が、例えば、特開２０００−３５５４５号公報の「拡大観察鏡とその構成部品」に開示されている。      
【０００６】
【特許文献１】実開平３−１２７３０６号
【特許文献２】実開平６−７８９２０号
【特許文献３】特開２０００−３５５４５号
【発明の開示】
【発明が解決しようとする課題】
【０００７】
手持ちタイプの拡大鏡は読書など長時間使うのには向かず、本の上に置いて使用するルーペは移動に難点があり連続して使用するのには向かなかった。また、折畳みのものや小型で簡易なスタンドルーペは使い勝手は良いが、ルーペを支える支持棒が書物を邪魔して大きな本や厚い書籍などを読むのには不便であった。      
【０００８】
また、読書用に考案された実開平３−１２７３０６号公報の「読書用スタンドルーペ」は、本を台上に置いてページをめくる際に、スタンド台２の支持脚板７、屈曲台８などが邪魔で不便であった。さらに、レンズが硝子製で枠があるために重く見難く取扱いが良くなかった。      
【０００９】
また、机やテーブルなどの上に置いて使用する簡単な構造の実開平６−７８９２０号公報の「スタンドルーペ」は、円形の凸レンズ１を使用しているため、広範囲の書物を読むのには不便で、スタンド４は厚手の書物を置いて読むのに邪魔となった。      
【００１０】
さらにまた、一台のレンズヘッドを照明付スタンドルーペとしても携帯用のルーペとしても使用できるように配慮した、特開２０００−３５５４５号公報の「拡大観察鏡とその構成部品」の発明は、円形の拡大観察鏡１を使用しているため、広範囲の書物を読むのには不便であった。また、光源を内臓しているため、構造が複雑で高齢者や弱視療養者などにとって簡単に使用するのには向かなかった。      
【００１１】
この発明の目的は、上述のような従来技術が有する問題点に鑑みてなされたもので、雑誌類などの大きな本や辞書等の厚めの書物など、奥行きの深い書籍などの対象物を見るのに、拡大鏡と机上との間隔を大きくとることによりページをめくり易く、使いやすくした読書用拡大鏡スタンドを提供するものである。    
【課題を解決するための手段】
【００１２】
請求項１に係る発明の読書用拡大鏡スタンドは、拡大鏡レンズは枠のない広面積で軽量部材の矩形レンズを使用してレンズ取付部に着脱自在に取付け、この拡大鏡レンズを回動自在に動かせるようにレンズ取付部の接続支軸に調節ハンドルを取付け、この接続支軸にフレキシブル構造のアーム支柱を接続し、このアーム支柱の下端部はスタンド台座に取付け、このスタンド台座に広面積の敷板を取付けたものである。      
【００１３】
請求項２に係る発明の読書用拡大鏡スタンドは、上記敷板に書籍を自在に傾斜させて立てかける書籍立てを設けたものである。    
【発明の効果】
【００１４】
請求項１に係る発明の読書用拡大鏡スタンドは、拡大鏡レンズは枠のない広面積で軽量部材の矩形レンズを使用してレンズ取付部に着脱自在に取付け、この拡大鏡レンズを回動自在に動かせるようにレンズ取付部の接続支軸に調節ハンドルを取付け、この接続支軸にフレキシブル構造のアーム支柱を接続し、このアーム支柱の下端部はスタンド台座に取付け、このスタンド台座に広面積の敷板を取付けたので、雑誌類などの大きな本や辞書等の厚めの書物など、奥行きの深い書籍などの対象物を見るのに、アーム支柱が撓むため、拡大鏡レンズと机の間を大きく広範囲に移動することができ、ページをめくる際にレンズが邪魔にならず、手や紙が引っ掛かることなくページをめくり易く、また調節ハンドルによって拡大鏡レンズの位置や方向を自由に調整でき、スタンド台座の文鎮状の自重で安定するとともに広い面積の敷板によってさらに安定性が向上するため、使い易い読書用拡大鏡スタンドとなる。特に、高齢者や弱視者などが細かい文字を見やすく使いやすい拡大鏡スタンドを提供することができる。      
【００１５】
請求項２に係る発明の読書用拡大鏡スタンドは、上記敷板に書籍を自在に傾斜させて立てかける書籍立てを設けたので、書籍の大きさや厚さに対応して書籍を立てかけて見る角度を調整することができるため、無理な姿勢をすることなく使いやすく見やすい読書用拡大鏡スタンドとなる。    
【発明を実施するための最良の形態】
【００１６】
この発明に係る読書用拡大鏡スタンドの構造を、図１乃至図９に基づいて説明する。  図１は、この発明に係る読書用拡大鏡スタンドの第１の実施形態例で、図２は、第２の実施形態例である。  図３は図２のレンズ取付部の近傍を示し、図４は図２のスタンド台部の近傍を示し、図５は図２の書籍立て部の第１の実施形態で、スライド構造の書籍立てを拡大して示す。      
【００１７】
図１に示すように、第１の実施形態例の読書用拡大鏡スタンドは、拡大鏡レンズ１と、アーム支柱２と、レンズ取付部３と、接続支軸４と、調節ハンドル５と、スタンド台座６と、敷板７とから形成する。  拡大鏡レンズ１は、広面積で軽量の矩形レンズを用いる。アーム支柱２は、管径を大小変えた可撓管、鉛材やワイヤを用いた管や合成樹脂管などからなるフレキシブル構造に形成する。スタンド台座６は、自重で安定性を有するように文鎮状の台座に形成する。敷板７は、広い面積の平板で安定性を増すように形成する。      
【００１８】
図２に、第２の実施形態例の読書用拡大鏡スタンドを示す。読書用拡大鏡スタンドは、拡大鏡レンズ１、アーム支柱２、レンズ取付部３Ａ、接続支軸４Ａ、調節ハンドル５Ａ、スタンド台座６Ａ、敷板７Ａ、書籍立て１０及びガイド溝１１、角度調整機構１２（１２Ａ，１２Ｂ）などで形成する。アーム支柱２は可撓構造に形成し、書籍立て１０は傾斜角度を調整自在に形成する。角度調節機構１２は、書籍部の角度調節ダイヤル１２Ａと、レンズ部の角度調節ダイヤル１２Ｂとで形成し、書籍立て１０に本を立てかけて角度調節ダイヤル１２Ａで見やすい傾斜角度に固定した後に、この傾斜角度に基づいてレンズ部の角度調節ダイヤル１２Ｂの目盛りを合わせる。このように角度調節機構１２（１２Ａ，１２Ｂ）を使用して、本とレンズを簡単に平行に合わせることができる。      
【００１９】
図３は、図２のレンズ取付部近傍を拡大して示すもので、拡大鏡レンズ１は、枠のない広面積で厚みが薄い軽量の矩形レンズ、例えばレンズ面を連続面でなく階段状にしたレンズ、つまりフレネルレンズを使用する。３Ａは、拡大鏡レンズ１のレンズ取付部でクリップ等の着脱自在構造とする。４Ａは接続支軸で、アーム支柱２の上部アーム２Ａの先端を固定するとともに、調節レバー５Ａを固定する。この調節レバー５Ａを引張り、或いは回転して、拡大鏡レンズの位置及び角度を調節するように形成する。      
【００２０】
図４は、アーム支柱近傍を拡大して示すもので、アーム支柱２は、長い可撓性を有するフレキシブル構造の管などからなる上部アーム２Ａと、入れ子式中空管などからなる下部アーム２Ｂとで形成した場合の実施形態例である。このように下部アーム２Ｂは、拡大鏡の高さ調整ができ、机との間隔を大きくとることができるように、径の異なる円筒を複数段使用して入れ子式伸縮構造に形成する。また、スタンド台座６Ａは、ブロック状に形成し重りの役目を持たせ安定性を確保するとともに、アーム支柱２を取付ける上面取付部８と、敷板７Ａを取付ける側面取付部９を設ける。下部アーム２Ｂの下端を取付ける上面取付部８は、差込ピンや螺子などの着脱自在構造の差込口８Ａに形成し、また敷板７Ａの端縁を取付ける側面取付部９は、差込などの着脱自在構造の差込溝９Ａに形成する。  このように、差込み構造を採用することにより、簡単に組立てや収納をすることができ、持運びに便利となる。      
【００２１】
図５は、図２の書籍立て部近傍を拡大して示すもので、書籍立て１０は、本を立てかける背板１０Ａと、背板１０Ａを支えるフレーム１０Ｂ及び支え材１０Ｃと、フレーム１０Ｂの下端面に設けるスライド１０Ｄと、このスライド１０Ｄをガイドするガイド溝１１とで形成する。  この溝１１は、敷板７Ａの両側近傍に平行して設ける。１３は、支え材１０Ｃの下端部を差込み固定する止め口で、書籍立て１０の傾斜角度を変えられるように複数箇所に設ける。１４は傾斜した書籍の滑り落ちを防止するストッパで、上記ガイド溝１１から出没自在に形成する。  このように形成した書籍立て１０は、敷板７Ａの上に折り畳んで平坦にして上部を使用することができる。      
【００２２】
図６は、書籍立て部の第２の実施形態例を示し、敷板７を折畳み板に形成して折畳み書籍立て１５として使用する。１５Ａは折り畳み背板で、書籍を立てかける際には、回転軸１５Ｂによって回転移動し、多段階に角度を調整して使用することができるように形成する。このように、敷板７を折畳み書籍立て１５に形成することによって、簡単な構造の書籍立てを備えた拡大鏡スタンドとなる。      
【００２３】
図７は、書籍立て部の第３の実施形態例を示し、敷板７を入れ子式の伸縮平板に形成して伸縮書籍立て１６として使用する。  １６Ａは入れ子式の伸縮背板で、この伸縮背板１６Ａを引出してａ又はｂの位置で、回転軸１６Ｂによって回転して、書籍を立てかけて使用するように形成する。こ
の伸縮書籍立て１６は、場所をとらず、机上の広さや書籍の大きさに応じて広げて使用することができる。      
【００２４】
図８は読書用拡大鏡スタンドの他の実施形態例で、書籍立てを傾斜台構造としたものである。傾斜書籍立て１７は机上の敷板７から浮上がる構造に形成し、この傾斜書籍立て１７の奥側の上部にスタンド台座６を設け、このスタンド台座６にアーム支柱２を取付ける。１８は回転軸、１９は傾斜止めである。この傾斜書籍立て１７は机上に安定設置されるように、敷板７自体が折れ曲って浮上がる構造、二枚重ね板構造、或いはフレームと板の組合せ構造などで形成する。図のように、傾斜書籍立て１７とレンズ１は並行に移動するため、書籍２３の傾斜角度を変更しても、その都度レンズ１を移動し調節する必要がない。そのため、書籍２３の傾斜角度を変えた際に、調節ハンドル５をいちいち操作する必要がなく使い易い。      
【００２５】
図９は書籍立て部の背板の他の実施形態例、中折れの構造を示している。２０は中折れ背板、２１は中折れ部で、２２は中折れ部を自在に上下動させる調節ノブである。この中折れ部２１及び調節ノブ２２は、例えばバネ板部材や弾力性部材などを用いて、簡単に折り曲げて高さ調節できるように形成する。２３は書籍、２３Ａはその中央綴じ部である。図のように、調節ノブ２２を操作して中折れ部２２を押上げることにより、傾斜し距離が変わって見難くなる厚い書籍２３の中央綴じ部２３Ａ近傍を平坦にして、書籍２３の中央綴じ部２３Ａ近傍を見やすくすることができる。或いは図示はしないが、平板の書籍立ての背板の中央部に、山形材を着脱自在に取付取外して使用するようにしても同様の効果が得られる。
【産業上の利用可能性】
【００２６】
この発明に係る読書用拡大鏡スタンドは、拡大鏡と机との間隔を大きくとり、拡大鏡の位置を調整自在にしたので、厚い書籍等の書見台に限らず、奥行きの深い対象物を見るのに使い易く、広範囲の細かな手作業等の作業台としても使用することができる。また、図書館や資料館等に置いて利用性を高めることもできる。また、高齢者や弱視者に使用してもらい、さらに白内障や緑内障など眼に疾患を持った人に対しても、眼に優しく使いやすい拡大鏡スタンドとなる。
【図面の簡単な説明】
【００２７】
【図１】この発明に係る読書用拡大鏡スタンドの第１の実施形態例を示す斜視説明図である。
【図２】この発明に係る読書用拡大鏡スタンドの第２の実施形態例を示す斜視説明図である。
【図３】図２のレンズ取付部の近傍を示す側断面説明図である。
【図４】スタンド台部の実施形態例を示す側断面説明図である。
【図５】書籍立て部の第１の実施形態例で、スライド構造の書籍立てを拡大して示す斜視説明図である。
【図６】書籍立て部の第２の実施形態例で、折畳み構造を示す斜視説明図である。
【図７】書籍立て部の第３の実施形態例で、伸縮構造を示す斜視説明図である。
【図８】読書用拡大鏡スタンドの変化例で、傾斜台構造を示す斜視説明図である。
【図９】書籍立て部の背板の変化例で、中折れ構造を示す斜視説明図である。
【符号の説明】
【００２８】
１  拡大鏡レンズ  ２  アーム支柱  ２Ａ  上部アーム  ２Ｂ  下部アーム  ３，３Ａ  レンズ取付部  ４，４Ａ  接続支軸  ５  調節ハンドル  ５Ａ  調節レバー  ６，６Ａ  スタンド台座  ７，７Ａ  敷板  ８  上面取付部８Ａ  差込口  ９  側面取付部  ９Ａ  差込溝１０  書籍立て１０Ａ  背板１０Ｂ  フレーム１０Ｃ  支え材１０Ｄ  スライド１１  ガイド溝１２  角度調節機構１２Ａ  角度調節ダイヤル１２Ｂ  角度調節ダイヤル１３  止め口１４  ストッパ１５  折畳み書籍立て１５Ａ  折畳み背板１５Ｂ  回転軸１６  伸縮書籍立て１６Ａ  伸縮背板１６Ｂ  回転軸１７  傾斜書籍立て１８  回転軸１９  傾斜止め２０  中折れ背板２１  中折れ部２２  調節ノブ２３  書籍２３Ａ  中央綴じ部 
【図１】
2006330217.tif 000003
【図２】
2006330217.tif 000004
【図３】
2006330217.tif 000005
【図４】
2006330217.tif 000006
【図５】
2006330217.tif 000007
【図６】
2006330217.tif 000008
【図７】
2006330217.tif 000009
【図８】
2006330217.tif 000010
【図９】
2006330217.tif 000011